(57)【要約】  【課題】  インスタントフイルムの余白であるフレーム部を活用しつつ、そのフレーム部の空間を越えた面白さをユーザに提供すること。  【解決手段】  画像がプリントされるプリント部２０１の周囲に形成されたフレーム部２０２に、所定のサーバからネットワークを介して携帯電話がデジタルコンテンツを取得するためのアクセス情報２２７を記録した。また、２次元バーコード２２７を用いてアクセスした携帯電話からネットワークを介して祝福メッセージなどの音情報を収集するサービスサーバを設けた。また、２次元バーコード２２７を用いてアクセスした携帯電話にネットワークを介して各種のデジタルコンテンツを配信するサービスサーバを設けた。【選択図】  図１
2005208324.tif 000002
【特許請求の範囲】
【請求項１】
被写体を撮影して得られた画像がプリントされるプリント部および該プリント部の周囲に形成されたフレーム部を含むインスタントフイルムにおいて、
前記フレーム部に、所定のサーバからネットワークを介してユーザ端末機が該ユーザ端末機で再生可能なデジタルコンテンツを取得するためのアクセス情報を記録したことを特徴とするインスタントフイルム。
【請求項２】
前記アクセス情報は、２次元バーコードで前記フレーム部に記録されたことを特徴とする請求項１に記載のインスタントフイルム。
【請求項３】
ユーザ端末機とネットークを介して通信を行い、該ユーザ端末機から音情報を収集するサービスサーバにおいて、
請求項１又は２に記載のインスタントフイルムに記録したアクセス情報に関連付けて音情報を蓄積するためのデータベースと、
画像がプリントされたインスタントフイルムのアクセス情報がユーザ端末機からネットワークを介して入力されるアクセス情報入力手段と、
前記アクセス情報の送信元のユーザ端末機からネットワークを介して音情報が入力される音情報入力手段と、
前記アクセス情報の送信元のユーザ端末機から入力された音情報を該アクセス情報と関連付けて前記データベースに登録する登録手段と、
前記データベースに蓄積された各アクセス情報ごとの一群の音情報を出力する音情報出力手段と、
を備えたことを特徴とするサービスサーバ。
【請求項４】
前記音声情報出力手段は、前記データベースに蓄積された各アクセス情報ごとの一群の音情報を該データベースから取り出してリムーバブルな記録メディアに記録することを特徴とする請求項３に記載のサービスサーバ。
【請求項５】
ユーザ端末機とネットークを介して通信を行い、該ユーザ端末機で再生可能なデジタルコンテンツを該ユーザ端末機に配信するサービスサーバにおいて、
請求項１又は２に記載のインスタントフイルムに記録されたアクセス情報に関連付けて、ユーザ端末機に配信すべきデジタルコンテンツを管理するデータベースと、
画像がプリントされたインスタントフイルムのアクセス情報がユーザ端末機からネットワークを介して入力されるアクセス情報入力手段と、
受信したアクセス情報に関連付けられて前記データベースに管理されたデジタルコンテンツを該ユーザ端末機に配信する配信手段と、
を備えたことを特徴とするサービスサーバ。
【請求項６】
前記デジタルコンテンツは、音情報、動画像情報、静止画像情報、テキスト情報、ベクタグラフィックスのアニメーション情報、または、これらを組み合わせたマルチメディアファイルであることを特徴とする請求項５に記載のサービスサーバ。
【請求項７】
請求項１又は２に記載のインスタントフイルムに記録したアクセス情報がユーザ端末機からネットワークを介して入力されるステップと、
前記アクセス情報の送信元のユーザ端末機からネットワークを介して音情報が入力されるステップと、
前記アクセス情報の送信元のユーザ端末機から入力された音情報を該アクセス情報と関連付けて所定のデータベースに登録するステップと、
前記データベースに蓄積された各アクセス情報ごとの一群の音情報を出力するステップと、
を含むことを特徴とするサービス方法。
【請求項８】
請求項１又は２に記載のインスタントフイルムに記録されたアクセス情報に関連付けて、ユーザ端末機に配信すべきデジタルコンテンツを所定のデータベースに登録するステップと、
画像がプリントされたインスタントフイルムのアクセス情報がユーザ端末機からネットワークを介して入力されるステップと、
受信したアクセス情報に関連付けられて前記データベースに管理されたデジタルコンテンツを該ユーザ端末機にネットワークを介して配信するステップと、
を含むことを特徴とするサービス方法。
【発明の詳細な説明】
【技術分野】
【０００１】
本発明はインスタントフイルム、サービスサーバおよびサービス方法に係り、特に、インスタントカメラによって画像が記録されるインスタントフイルム、そのインスタントフイルムを用いて携帯電話等のユーザ端末機からネットワークを介してアクセス可能なサビスサーバおよびサービス方法に関する。
【背景技術】
【０００２】
インスタントフイルムは、引き剥がしが必要なピールアパート型のものと、引き剥がしの不要なモノシート型のものとがあり、いずれも撮影したその場で写真プリントが得られるという特長を備えている。
【０００３】
モノシート型のインスタントフイルムは、一般に、現像処理液を封入した現像液ポッドと余剰の現像処理液を捕捉するトラップ材が設けられており、画像がプリントされるプリント部の周囲にフレーム部が形成されている。
【０００４】
このフレーム部は、一般に、表面が白色で形成されており、筆記具などで適宜メッセージを書き込むことが可能になっている。ユーザに見た目の面白さを与えるために、ストライプ模様や水玉模様などの繰り返しの模様や、アニメーションキャラクタの絵柄を、装飾としてフレーム部の表面に施すようにしたものもある（特許文献１を参照）。
【特許文献１】特開２００３−２９３８３号公報
【発明の開示】
【発明が解決しようとする課題】
【０００５】
装飾がフレーム部に施されたインスタントフイルムは、表面が全白色のフレーム部を有したインスタントフイルムと比較して、ユーザに見た目の面白さを与えることが可能ではあるが、現像液ポッドやトラップ材などを設けるために形成されたフレーム部のその限られた空間上での表現しかできない。
【０００６】
このようなインスタントフイルムのフレーム部の限られた空間を有効に活用しつつ、撮影した画像やプリ印刷された絵柄をただ眺めるだけでなく、もっと別な様々な楽しみ方をユーザに提供することができれば、ユーザにとって愉快であり、様々な楽しみ方によりユーザの好奇心や期待感が刺激されれば、インスタントフイルムやインスタントカメラの更なる需要の拡大につながる。
【０００７】
本発明はこのような事情に鑑みてなされたもので、インスタントフイルムの余白であるフレーム部を活用しつつ、そのフレーム部の空間を越えた面白さをユーザに提供することができるインスタントフイルム、サービスサーバおよびサービス方法を提供することを目的とする。
【課題を解決するための手段】
【０００８】
前記目的を達成するために、請求項１に記載の発明は、被写体を撮影して得られた画像がプリントされるプリント部および該プリント部の周囲に形成されたフレーム部を含むインスタントフイルムにおいて、前記フレーム部に、所定のサーバからネットワークを介してユーザ端末機が該ユーザ端末機で再生可能なデジタルコンテンツを取得するためのアクセス情報を記録した構成となっている。
【０００９】
この構成によって、ユーザ端末機で再生可能なデジタルコンテンツを取得するためのアクセス情報がフレーム部に記録されているので、被写体を撮影して得られた画像を眺めて楽しむだけでなく、ユーザ端末機によってサーバからネットワークを介してデジタルコンテンツをダウンロードさせ、そのデジタルコンテンツをユーザ端末機に再生させて楽しむことが可能になる。
【００１０】
前記アクセス情報は、請求項２に記載したように、例えば、２次元バーコードで前記フレーム部に記録したものである。
【００１１】
その他、例えば、フレーム部に形成したＩＣ（Integrated Circuit）タグにデジタルデータとして書き込む態様や、また、英数字からなる文字列を文字フォントで印刷する態様がある。
【００１２】
アクセス情報の実際の内容としては、例えばＵＲＬ（Uniform Resource Locator）がある。ＵＲＬには、例えば、デジタルコンテンツの取得に必要な通信プロトコル、サーバのドメイン名、および、デジタルコンテンツの格納場所を識別するための情報が含まれる。このようなＵＲＬに限らず、ユーザ端末機とサーバとの間で判別可能なコードからなるアクセス情報を用いてもよい。
【００１３】
請求項３に記載の発明は、ユーザ端末機とネットークを介して通信を行い、該ユーザ端末機から音情報を収集するサービスサーバにおいて、請求項１又は２に記載のインスタントフイルムに記録したアクセス情報に関連付けて音情報を蓄積するためのデータベースと、画像がプリントされたインスタントフイルムのアクセス情報がユーザ端末機からネットワークを介して入力されるアクセス情報入力手段と、前記アクセス情報の送信元のユーザ端末機からネットワークを介して音情報が入力される音情報入力手段と、前記アクセス情報の送信元のユーザ端末機から入力された音情報を該アクセス情報と関連付けて前記データベースに登録する登録手段と、前記データベースに蓄積された各アクセス情報ごとの一群の音情報を出力する音情報出力手段を備えた構成となっている。
【００１４】
この構成によって、画像がプリントされたインスタントフイルムを仲間達に配布して、仲間達のユーザ端末機から音情報を容易に収集することが可能になる。
【００１５】
請求項４に記載の発明は、請求項３に記載の発明において、前記音声情報出力手段は、前記データベースに蓄積された各アクセス情報ごとの一群の音情報を該データベースから取り出してリムーバブルな記録メディアに記録する構成となっている。
【００１６】
請求項５に記載の発明は、ユーザ端末機とネットークを介して通信を行い、該ユーザ端末機で再生可能なデジタルコンテンツを該ユーザ端末機に配信するサービスサーバにおいて、請求項１又は２に記載のインスタントフイルムに記録されたアクセス情報に関連付けて、ユーザ端末機に配信すべきデジタルコンテンツを管理するデータベースと、画像がプリントされたインスタントフイルムのアクセス情報がユーザ端末機からネットワークを介して入力されるアクセス情報入力手段と、受信したアクセス情報に関連付けられて前記データベースに管理されたデジタルコンテンツを該ユーザ端末機に配信する配信手段を備えた構成となっている。
【００１７】
この構成によって、画像がプリントされたインスタントフイルムをただ眺めるだけでなく、デジタルコンテンツを容易に再生して楽しむことができる。
【００１８】
前記デジタルコンテンツは、請求項６に示すように、例えば、音情報、動画像情報、静止画像情報、テキスト情報、ベクタグラフィックスのアニメーション情報、または、これらを組み合わせたマルチメディアファイルである。
【００１９】
請求項７に記載の発明は、請求項１又は２に記載のインスタントフイルムに記録したアクセス情報がユーザ端末機からネットワークを介して入力されるステップと、前記アクセス情報の送信元のユーザ端末機からネットワークを介して音情報が入力されるステップと、前記アクセス情報の送信元のユーザ端末機から入力された音情報を該アクセス情報と関連付けて所定のデータベースに登録するステップと、前記データベースに蓄積された各アクセス情報ごとの一群の音情報を出力するステップを含む構成となっている。
【００２０】
請求項８に記載の発明は、請求項１又は２に記載のインスタントフイルムに記録されたアクセス情報に関連付けて、ユーザ端末機に配信すべきデジタルコンテンツを所定のデータベースに登録するステップと、画像がプリントされたインスタントフイルムのアクセス情報がユーザ端末機からネットワークを介して入力されるステップと、受信したアクセス情報に関連付けられて前記データベースに管理されたデジタルコンテンツを該ユーザ端末機にネットワークを介して配信するステップを含む構成となっている。
【発明の効果】
【００２１】
本発明によれば、インスタントフイルムの余白であるフレーム部を活用しつつ、そのフレーム部の空間を越えた面白さをユーザに提供することができる。
【発明を実施するための最良の形態】
【００２２】
以下、添付図面に従って本発明を実施するための最良の実施の形態について、詳細に説明する。
【００２３】
図１は、本発明に係る一実施形態のインスタントフイルムについて画像観察面側の外観を示す斜視図である。
【００２４】
図１において、インスタントフイルム２００は、主として、画像がプリントされるプリント部２０１と、プリント部２０１の周囲のフレーム部２０２から構成されている。また、フレーム部２０２には、携帯電話などのユーザ端末機がネットワークを介して所定のサーバからデジタルコンテンツを取得するために用いる２次元バーコード２２７（エンコードされたアクセス情報である）が記録されている。
【００２５】
図２は、インスタントフイルム２００について画像観察面の裏側を示す斜視図であって、両端部を剥がすとともにその一端部を破断して内部構造を示している。
【００２６】
図２において、現像液ポッド２１３は袋形状に形成されており、内部に現像処理液が封入されている。この現像液ポッド２１３は、マスクシート２１１の一方の折り返し部分に接着されている。なお、図２は現像液ポッド２１３が破断された状態を示しているが、実際には、現像液ポッド２１３は一列に形成されている。トラップ材２１２は、余剰現像処理液を捕捉するためのものであり、現像液ポッド２１３と反対側の、マスクシート２１１の折り返し部分に接着されている。マスクシート２１１には感光シート２１４が接着されている。アンダーシート２１９は、現像液ポッド２１３からの現像処理液が感光シート２１４とカバーシート２１６との間に確実に展開されるように現像液ポッド２１３を規制する。スペーサ２１５は、感光シート２１４とカバーシート２１６との間に一定の間隔を確保して、この間に展開される現像処理液の厚みを一定にする。
【００２７】
カバーシート２１６を通して感光シート２１４に露光が与えられると、インスタントフイルム２００は、現像液ポッド２１３側からインスタントカメラ（あるいは携帯プリンタ）の展開ローラに送り込まれるようになっており、現像液ポッド２１３が裂開される。これにより、現像処理液が感光シート２１４とカバーシート２１６との間に展開される。このような現像処理液の展開により、感光シート２１４の潜像が感光シート２１４の画像観察面に形成され、図１のプリント部２０１にポジ画像が出現する。そして、余剰現像液はトラップ材２１２により捕捉される。
【００２８】
図１のプリント部２０１およびフレーム部２０２と図２に示す構成要素との対応関係を説明すると、図１のプリント部２０１は、図２の感光シート２１４の画像観察面が画面開口２１７により区画された画像観察可能な部分であり、図２のフレーム部２０２は、図２のマスクシート２１１の画像観察側の面であって画面開口２１７の周辺部分である。
【００２９】
なお、図２に示すインスタントフイルム２００の内部構造は一例であり、このような例に特に限定されない。例えば、現像液ポッド２１３およびトラップ材２１２は、接着ではなくマスクシート２１１と一体に形成してもよい。
【００３０】
また、図１に示す２次元バーコード２２７は、そのエンコード内容の情報サイズを確保するために物理的な大きさを確保しつつ、インスタントフイルム２００全体のサイズを拡大することがないようにするために、フレーム部２０２において、現像液ポッド２１３を設けた側であって、画像観察面から見て現像液ポッド２１３の上に相当する位置に、記録している。しかし、現像液ポッド２１３の幅ほどのサイズを必要としない場合には、現像液展開時の影響を回避するために、トラップ材２１２を設けた側に２次元バーコードを記録するようにしてもよいし、現像液ポッド２１３およびトラップ材２１２の両方を回避した位置に記録するようにしてもよい。
【００３１】
また、図１に示す２次元バーコード２２７は、１個のみ記録されているが、内容が互いに異なる複数の２次元バーコードを記録するようにしてもよい。
【００３２】
フレーム部２０２に２次元バーコード２２７を記録する態様としては、例えば、フレーム部２０２を構成するマスクシート２１１に白色印刷を行う工程に引き続いて２次元バーコード２２７を印刷することにより記録する態様と、１枚１枚のインスタントフイルム２００ができあがった時点で、そのフレーム部２０２に２次元バーコード２２７を印刷することにより記録する態様がある。前者の例を、図３を用いて説明する。
【００３３】
図３（ａ）に示す例では、マスクシート２１１の表面層２３０を構成する第１色層２３１、第２色層２３２、第３色層２３３、第４色層２３４を、白色で重ね塗りして設け、第４色層２３４の上層に２次元バーコードを記録したバーコード記録層２３７を設けた。
【００３４】
図３（ｂ）に示す例では、第１色層２３１、第２色層２３２および第３色層２３３を白色で重ね塗りして設け、その第３色層２３３の上層に２次元バーコードを記録したバーコード記録層２３７を設けて、さらにバーコード記録層２３７の上層に、２次元バーコードを保護するための無彩色のバーコード保護層２３８と、彩色した第４色層２３４とを設けた。
【００３５】
図４は、本発明に係る一実施形態のサービスサーバを含むサービスシステムの概略を示す全体構成図である。
【００３６】
図４において、主として、サービスサーバ１０、インスタントフイルム製造装置２０、インスタントカメラ３０、カメラ付き携帯電話４０（以下単に「携帯電話」という）、携帯プリンタ５０、情報登録端末６０、管理装置７０、および、ネットワーク８０を含んで本実施形態のサービスシステムが構成されている。
【００３７】
インスタントフイルム製造装置２０は、アクセス情報２２７をフレーム部に記録したインスタントフイルム２００を製造するものである。
【００３８】
インスタントカメラ３０は、被写体の撮影を行って、撮影によって得られたユーザの画像をインスタントフイルム２００のプリント部にプリントするものである。
【００３９】
携帯電話４０（４１、４２）には、被写体の撮影が可能なカメラ（図示を省略）が設けられており、このカメラは、ＱＲコード（登録商標）等の２次元バーコード（エンコードされたアクセス情報である）の入力にも用いられる。また、携帯電話４０は、カメラにより入力されたアクセス情報を示す２次元バーコードをデコードし、ネットワーク８０を介してサービスサーバ１０にアクセスする。この携帯電話４０は、実際には、携帯電話４０と無線で通信する基地局（図示を省略）を介してネットワーク８０に接続される。また、図１では、２台の携帯電話４１、４２が図示されているが、実際には多数の携帯電話がネットワーク８０に接続される。
【００４０】
以下、説明の都合上、第１の携帯電話４１は、被写体の撮影やデジタルコンテンツ（以下単に「コンテンツ」という）の入力に用いるものであり、第２の携帯電話４２は「コンテンツ」の出力に用いるものとする。なお、説明の便宜上そうするのであって、第１の携帯電話４１でコンテンツの入出力を併せて行うことも可能である。
【００４１】
携帯プリンタ５０は、被写体を撮影した携帯電話４１と赤外線などによる近距離無線通信を行って、その携帯電話４１からユーザの画像を受信し、受信した画像をインスタントフイルム２００のプリント部にプリントするものである。
【００４２】
登録端末６０は、パーソナルコンピュータなどからなり、携帯電話４２に配信すべきコンテンツの登録に用いるものである。
【００４３】
ここで、コンテンツには、音情報、動画像情報、静止画像情報、テキスト情報、ベクタグラフィックスのアニメーション情報、および、これらを組み合わせたマルチメディアファイルが含まれる。
【００４４】
サービスサーバ１０は、携帯電話４０、登録端末６０および管理装置７０とネットワーク８０を介して通信し、各種のサービス処理を行うものである。
【００４５】
なお、インスタントフイルム２００へのユーザの画像のプリント態様には、図４に示す例において、２つの態様がある。第１に、インスタントカメラ３０で被写体を撮影して、撮影して得られたユーザの画像を直ぐにインスタントカメラ３０でインスタントフイルム２００にプリントする態様がある。第２に、携帯電話４１で被写体を撮影し、撮影して得られたユーザの画像を携帯電話４１から携帯プリンタ５０に転送して携帯プリンタ５０でインスタントフイルム２００にプリントする態様がある。
【００４６】
また、インスタントフイルム２００に記録されたアクセス情報を用いて携帯電話４２にコンテンツを配信する態様には、図４に示す例において、２つの態様がある。第１に、一方の携帯電話４１からネットワーク８０を介してサービスサーバ１０にアップロードされたコンテンツを、他方の携帯電話４２にネットワーク８０を介してダウンロードする態様がある。第２に、登録端末６０からネットワーク８０を介してサービスサーバ１０にアップロードされたコンテンツを、コンテンツの配信を要求した携帯電話４２にネットワーク８０を介してダウンロードする態様がある。
【００４７】
図５は、サービスサーバ１０の内部構成の具体的な例を示すブロック図である。図５において、サービスサーバ１０は、主として、携帯電話４０、登録端末６０および管理装置７０とネットワーク８０を介して通信する通信部１１、ＣＰＵ（Central Processing Unit）からなる制御部１２、コンテンツを蓄積し管理するコンテンツデータベース１３、ユーザに関する情報を管理するユーザ情報データベース１４、および、ユーザ等への課金に関する情報を管理する課金情報データベース１５を含んで構成される。なお、各データベース１３ないし１５は、サービスサーバ１０の筐体内に含まれている必要はなく、例えば、サービスサーバ１０の遠隔に設置されて、図４のネットワーク８０を介してサービスサーバ１０と接続されていてもよい。
【００４８】
通信部１１は、登録端末６０や携帯電話４０から、コンテンツを受信する。また、携帯電話４０からアクセスされて、アクセス元の携帯電話４０にコンテンツを配信する。また、管理装置７０から、アクセス情報のアクセス権限情報を設定する指示が入力される。
【００４９】
通信部１１は、携帯電話４０と、ＨＴＴＰ（Hypertext Transfer Protocol）により通信可能であり、制御部１２は、携帯電話４０の画面に表示される画面情報を生成する。
【００５０】
以下では、携帯電話４０からアップロードしたコンテンツを配信する態様と、登録端末６０からアップロードしたコンテンツを配信する態様とに分けて、説明する。このように分けるのは説明の便宜上であって、携帯電話４０および登録端末６０の両方からアップロードした複数のコンテンツを一度に配信する態様としてもよいことはもちろんである。
【００５１】
図６は、第１実施形態のサービスサーバ１０の概念的な構成を示すブロック図である。このサービスサーバ１０は、ユーザの携帯電話４０から入力された音情報を各アクセス情報ごとに収集するサービス（音情報収集サービス）を提供するものである。
【００５２】
図６において、サービスサーバ１０は、主として、アクセス権限設定手段１０ａ、アクセス情報入力手段１０ｂ、音情報入力手段１０ｃ、登録手段１０ｅ、音情報出力手段１０ｆ、および、データベース１０ｈを含み構成されている。
【００５３】
アクセス権限設定手段１０ａは、製造され販売開始された複数のインスタントフイルム２００について、携帯電話４０からのアクセス権限を各アクセス情報ごとに設定するものである。例えば、インスタントフイルムの１枚ごとにユニークなアクセス情報を記録した場合には、インスタントフイルム単位にアクセス権限が設定される。また、例えば、所定枚数（例えば１０枚）のインスタントフイルムを含むパッケージごとにユニークなアクセス情報を記録した場合には、パッケージ単位にアクセス権限が設定される。
【００５４】
アクセス権限は、入力許可、出力許可およびアクセス禁止のいずれかが設定される。まず、管理装置７０から入力される初期設定指示に基づいて、アクセス権限が初期設定されるようになっており、例えば、製造して販売開始した全てのインスタントフイルム２００についてアクセス権限が入力許可に初期化される。また、携帯電話４０からのアクセス状況に基づいて、アクセス権限が更新設定されるようになっており、例えば、携帯電話４０からの音情報の入力終了時に、アクセス権限が出力許可に更新され、さらに、一群の音情報をＣＤ（Compact Disk）などのリムーバブルな記録メディアに記録（出力）した時、または、予め決められた日時の経過時に、アクセス権限がアクセス禁止に更新される。
【００５５】
アクセス情報入力手段１０ｂは、携帯電話４０でインスタントフイルム２００上のアクセス情報を認識したとき、そのアクセス情報が携帯電話４０からネットワーク８０を介して入力されるものである。
【００５６】
音情報入力手段１０ｃは、アクセス情報入力手段１０ｂにアクセス情報が入力されて音情報の入力が要求されたとき、そのアクセス情報の送信元の携帯電話４０からネットワーク８０を介して音情報が入力されるものである。
【００５７】
登録手段１０ｅは、アクセス情報の送信元の携帯電話４０から入力された音情報を、各アクセス情報ごとに関連付けて、後述のデータベース１０ｈに登録するものである。
【００５８】
音情報出力手段１０ｆは、アクセス情報入力手段１０ｂにアクセス情報が入力されて音情報の出力が要求されたとき、そのアクセス情報に関連付けられてデータベース１０ｈに蓄積された一群の音情報を出力するものである。音情報の出力態様としては、第１に、アクセス情報の送信元の携帯電話４０に対してネットワーク８０を介して一群の音情報を出力する態様があり、第２に、ＣＤ（Compact Disk）などのリムーバブルな記録メディアに記録（出力）する態様がある。
【００５９】
図６に示した概念的構成のサービスサーバ１０の構成要素と図５の具体例のサービスサーバ１０の構成要素との対応関係を簡単に説明すると、アクセス権限設定手段１０ａおよび登録手段１０ｅは主として制御部１２によって構成され、アクセス情報入力手段１０ｂ、音情報入力手段１０ｃおよび音情報出力手段１０ｆは主として通信部１１および制御部１２によって構成されている。
【００６０】
第１実施形態における、具体的なサービス（音情報収集サービス）の流れについて、図７を用いて説明する。
【００６１】
図７において、インスタントフイルム製造装置２０によって、アクセス情報が記録されたインスタントフイルム２００が製造される（Ｓ１）。以下、インスタントフイルム２００は１枚ごとにユニークなアクセス情報が記録されたものとして説明する。
【００６２】
製造されたインスタントフイルム２００は、所定枚数（例えば１０枚）を１パッケージにして一般ユーザ向けに販売される。販売開始されたインスタントフイルム２００に係るアクセス情報の範囲は、管理装置７０によって管理され、アクセス権限を「入力許可」に初期設定する旨の指示が、管理装置７０からサービスサーバ１０に入力される（Ｓ２）。
【００６３】
インスタントフイルム２００を購入したユーザは、そのインスタントフイルム２００をパッケージごとインスタントカメラ３０に装着して、インスタントカメラ３０で被写体を撮影する操作を行う。そうすると、インスタントカメラ３０によって、被写体が撮影されて（Ｓ３）、直ぐに、インスタントフイルム２００のプリント部に画像がプリントされる（Ｓ４）。
【００６４】
なお、図７では、インスタントカメラ３０によって撮影および画像プリントを行う場合を例に示したが、これに限らず、第１の携帯電話４１で被写体を撮影し、撮影して得られた画像を赤外線による近距離無線通信で図４の携帯プリンタ５０に転送し、携帯プリンタ５０によりインスタントフイルム２００に画像をプリントしてもよい。
【００６５】
画像がプリントされたインスタントフイルム２００（「写真プリント」ともいう）を手にしたユーザは、そのユーザの携帯電話４１で音情報を録音した後（Ｓ５）、携帯電話４１をアクセス情報の読取モードにして、写真プリント上の２次元バーコード２２７（エンコードされたアクセス情報である）を携帯電話４１に読み取らせる（Ｓ６）。そうすると、２次元バーコード２２７が携帯電話４１でデコードされて、デコードされたアクセス情報が携帯電話４１からサービスサーバ１０に送信される（Ｓ７）。
【００６６】
携帯電話４１からアクセス情報を受信したサービスサーバ１０は、受信したアクセス情報が正当なアクセス情報であるか否かを判定し、正当なアクセス情報であれば、さらに携帯電話４１から音情報を受信する（Ｓ８）。ここで、正当なアクセス情報か否かは、例えば、インスタントフイルム製造装置２０で製造されたインスタントフイルムに係るアクセス情報であること、アクセス権限が「入力許可」に設定されたアクセス情報であること、などを判定する。そして、受信した音情報をアクセス情報と関連付けてデータベース１０ｈに登録する（Ｓ９）。
【００６７】
なお、携帯電話４１からの音情報の入力は、１回限り許可するようにしてもよいが、携帯電話４１から入力終了を指示するまで何回も許可してもよい。複数回の入力を許可した場合、アクセス権限が出力許可に更新されるまで音入力が許可される。この場合、一人のユーザに限らず、何人でも、そのユーザの携帯電話４１から音入力許可能である。データベース１０ｈは、各アクセス情報ごとに、一群の音情報を蓄積する。なお、入力終了した音情報に関連するアクセス情報のアクセス権限は「出力許可」に設定される。
【００６８】
音情報の入力が終了した後に写真プリント（画像プリントされたインスタントフイルム２００である）を配布されたユーザは、そのユーザの携帯電話４２をアクセス情報の読取モードにして、携帯電話４２に写真プリント２００上の２次元バーコード２２７（エンコードされたアクセス情報である）を読み取らせる（Ｓ１０）。この２次元バーコード２２７が携帯電話４２でデコードされて、デコードされたアクセス情報が携帯電話４２からサービスサーバ１０に送信される（Ｓ１１）。
【００６９】
携帯電話４２からアクセス情報を受信したサービスサーバ１０は、受信したアクセス情報が正当なアクセス情報であるか否かを判定し、正当なアクセス情報であれば、データベース１０ｈに蓄積されている該当アクセス情報に関連付けられた一群の音情報を、アクセス情報送信元の携帯電話４２に対して、ネットワーク８０を介して送信する（Ｓ１２）。ここで、正当なアクセス情報か否かの判定としては、例えば、インスタントフイルム製造装置２０で製造されたインスタントフイルムに係るアクセス情報であること、アクセス権限が「出力許可」に設定されたアクセス情報であること、などを判定する。
【００７０】
アクセス情報送信元の携帯電話４２に送信された一群の音情報は、その携帯電話４２で再生される（Ｓ１３）。
【００７１】
また、データベース１０ｈに蓄積した一群の音情報は、ＣＤ（Compact Disk）などのリムーバブルな記録メディアに書き込むことも可能である（Ｓ１４）。例えば、サービスサーバ１０に直接または間接的に接続された操作パネル（図示を省略）を介してアクセス情報をサービスサーバ１０に入力して、各アクセス情報ごとに一群の音情報をデータベース１０ｈから検索し、この一群の音声情報を、サービスサーバ１０に直接または間接的に接続されたＣＤ−Ｒ（CD Recordable）（図示を省略）によりＣＤに記録する。
【００７２】
例えば、結婚披露宴おいて、アクセス情報２２７付きインスタントフイルム２００をインスタントカメラ３０に装着して、新婚カップルや結婚披露宴の様子などを撮影する。また、出席者の携帯電話４１で祝福メッセージを録音した後に、画像が記録されたインスタントフイルム２００（写真プリント）上のアクセス情報２２７を、携帯電話４１に認識させて、祝福メッセージをサービスサーバ１０に入力する。この祝福メッセージの入力を何人かの仲間で行うと、各アクセス情報ごと、すなわち、各写真プリントごとに、祝福メッセージがデータベース１０ｈに蓄積されていく。例えば、「結婚おめでとう。末永くお幸せに。・・・Ｘより。」、「明るい家庭を築いてください。・・・Ｙより。」、「お似合いの素敵なカップルですね。本当にうらやましい。・・・Ｚ。」などの各人の思い思いの祝福メッセージが、画像に対応してデータベース１０ｈに蓄積されていく。なお、写真プリント２００のフレーム部の余白には、筆記具により短な添え書き（例えば「遊び仲間の一同より」）を書き添えることもできる。
【００７３】
祝福メッセージの収集が終了したとき、一群の祝福メッセージを音情報としてＣＤに書き込む。このＣＤには、音情報のほかに、手書きの添え書きがされた写真プリントをスキャナ（図示を省略）で読み込み、このスキャナで得られた画像も併せて記録するようにしてもよい。
【００７４】
図８は、第２実施形態のサービスサーバ１０の概念的な構成を示すブロック図である。このサービスサーバ１０は、登録端末６０から入力された各アクセス情報ごとのコンテンツを配信するサービス（コンテンツ配信サービス）を提供するものである。
【００７５】
図８において、サービスサーバ１０は、主として、アクセス権限設定手段１０ａ、アクセス情報入力手段１０ｂ、コンテンツ入力手段１０ｄ、登録手段１０ｅ、配信手段１０ｇ、および、データベース１０ｈを含み構成されている。
【００７６】
アクセス権限設定手段１０ａは、製造され販売開始された複数のインスタントフイルム２００について、携帯電話４０からのアクセス権限を各アクセス情報ごとに設定するものである。例えば、インスタントフイルム２００のフレーム部にキャラクタの絵柄を印刷して、絵柄の種類ごとにユニークなアクセス情報を記録した場合には、その絵柄の種類ごとにアクセス権限が設定される。
【００７７】
アクセス権限は、未登録、出力許可およびアクセス禁止のいずれかが設定される。例えば、後述の登録手段１０ｅによってデータベース１０ｈにコンテンツが登録済みのアクセス情報に対しては、「出力許可」が設定される。また、予め決められた日時（例えば特定の年の末日）の経過したアクセス情報は、「アクセス禁止」が設定される。
【００７８】
コンテンツ入力手段１０ｄは、登録端末６０からネットワーク８０を介してコンテンツが入力されるものである。
【００７９】
例えば、キャラクタの絵柄の種類ごとにアクセス情報を割り当てた場合には、その絵柄の種類単位で、すなわち各アクセス情報ごとに、その絵柄に対応する音情報や動画像情報などのコンテンツが入力される。例えば、ネコの絵柄入りであれば、そのネコの絵柄に関連する音情報や動画像情報が入力される。
【００８０】
登録手段１０ｅは、コンテンツ入力手段１０ｄに入力されたコンテンツを、各アクセス情報ごとに関連付けて、後述のデータベース１０ｈに登録するものである。
【００８１】
アクセス情報入力手段１０ｂは、携帯電話４０でインスタントフイルム２００上のアクセス情報を認識したとき、そのアクセス情報が携帯電話４０からネットワーク８０を介して入力されるものである。
【００８２】
配信手段１０ｇは、アクセス情報入力手段１０ｂにアクセス情報が入力されてコンテンツの配信が要求されたとき、そのアクセス情報に関連付けられてデータベース１０ｈに管理されたコンテンツをネットワーク８０を介して携帯電話４０に配信するものである。
【００８３】
図８に示した概念的構成のサービスサーバ１０の構成要素と図５の具体例のサービスサーバ１０の構成要素との対応関係を簡単に説明すると、アクセス情報入力手段１０ｂ、コンテンツ入力手段１０ｄ、配信手段１０ｇは主として通信部１１および制御部１２によって構成され、アクセス権限設定手段１０ａおよび登録手段１０ｅは主として制御部１２によって構成されている。
【００８４】
第２実施形態における、具体的なサービス（コンテンツ配信サービス）の流れについて、図９を用いて説明する。
【００８５】
図９において、インスタントフイルム製造装置２０によって、アクセス情報が記録されたインスタントフイルム２００が製造される（Ｓ２１）。なお、アクセス情報とともに、ネコなどのキャラクタを表した絵柄がフレーム部に印刷されているものとする。また、その絵柄の種類ごとにユニークなアクセス情報が記録されているものとして以下説明する。
【００８６】
製造されたインスタントフイルム２００は、所定枚数（例えば１０枚）を１パッケージにして一般ユーザ向けに販売される。販売開始されたインスタントフイルム２００に係るアクセス情報の範囲は、管理装置７０によって管理され、アクセス権限を「未登録」に初期設定する旨の指示が、管理装置７０からサービスサーバ１０に入力される（Ｓ２２）。
【００８７】
インスタントフイルム２００を購入したユーザは、そのインスタントフイルム２００をパッケージごとインスタントカメラ３０に装着して、インスタントカメラ３０で被写体を撮影する操作を行う。そうすると、インスタントカメラ３０によって、被写体が撮影されて（Ｓ２３）、直ぐに、インスタントフイルム２００のプリント部に画像がプリントされる（Ｓ２４）。
【００８８】
なお、図９では、インスタントカメラ３０によって撮影および画像プリントを行う場合を例に示したが、これに限らず、第１の携帯電話４１で被写体を撮影し、撮影して得られた画像を赤外線による近距離無線通信で図４の携帯プリンタ５０に転送し、携帯プリンタ５０によりインスタントフイルム２００に画像をプリントしてもよい。
【００８９】
一方で、登録端末６０からコンテンツがサービスサーバ１０に入力される（Ｓ２８）。入力されたコンテンツは、インスタントフイルム２００に記録されるアクセス情報と関連付けてデータベース１０ｈに登録される（Ｓ２９）。なお、登録されたコンテンツに関連するアクセス情報のアクセス権限は「出力許可」に設定される。
【００９０】
画像がプリントされたインスタントフイルム２００（写真プリント）を手にしたユーザは、写真プリント２００上の２次元バーコード２２７（エンコードされたアクセス情報である）を携帯電話４２に読み取らせる（Ｓ３０）。そうすると、２次元バーコード２２７が携帯電話４２でデコードされて、デコードされたアクセス情報が携帯電話４２からサービスサーバ１０に送信される（Ｓ３１）。
【００９１】
携帯電話４２からアクセス情報を受信したサービスサーバ１０は、受信したアクセス情報が正当なアクセス情報であるか否かを判定し、正当なアクセス情報であれば、データベース１０ｈに蓄積されている該当アクセス情報に関連付けられたコンテンツを、アクセス情報送信元の携帯電話４２に対して、ネットワーク８０を介して送信する（Ｓ３２）。ここで、正当なアクセス情報か否かの判定としては、例えば、インスタントフイルム製造装置２０で製造されたインスタントフイルムに係るアクセス情報であること、アクセス権限が「出力許可」に設定されたアクセス情報であること、などを判定する。なお、アクセス権限が「未登録」であった場合、すなわち、アクセス情報に対応するコンテンツが未登録の場合、通信料が発生するユーザに対して全く何も配信されない事態を回避するために、共通のコンテンツを携帯電話４２に配信するようにしてもよい。
【００９２】
アクセス情報送信元の携帯電話４２に送信されたコンテンツは、その携帯電話４２で再生される（Ｓ３３）。
【００９３】
例えば、ネコのキャラクタの絵柄入りのインスタントフイルム２００であれば、そのネコのキャラクタの声として周知な音色で発声して録音された音声メッセージや、そのキャラクタが動作する様子を表したベクタグラフィックスのアニメーション情報が携帯電話４２に配信されてくる。ネズミのキャラクタの絵柄入りのインスタントフイルム２００であれば、そのネズミのキャラクタの声として周知な音色で発声して録音された音声メッセージや、そのキャラクタが動作する様子を表したベクタグラフィックスのアニメーション情報が携帯電話４２に配信されてくる。また、配信されるコンテンツは、アクセスした日時や位置や回数によって異なるものが配信されてくるようにしてもよい。また、携帯電話４２に配信するコンテンツは、広告情報であってもよい。
【００９４】
図１０は、「写真プリント」、すなわち画像２２９がプリントされた状態のインスタントフイルム２００の例を示す。画像２２９の周囲のフレーム２０２には２次元バーコード２２７、すなわちエンコードされたアクセス情報が記録されている。また、２次元バーコード２２７とともに、キャラクタの絵柄２２８がフレーム２０２に印刷されている。このキャラクタの絵柄２２８は、インスタントフイルム製造装置２０で２次元バーコード２２７とともに予め印刷したものである。
【００９５】
また、画像２２９がプリントされた後にユーザが好みのメッセージを手書きで書き入れ可能なようにフレーム部２０２に余白を残しておきインスタントフイルム２００の販売を行うようにしてもよい。
【００９６】
また、図１０では２次元バーコード２２７が１個のみ記録されているが、複数個記録するようにしてもよい。例えば、第１の２次元バーコードを携帯電話に認識させると、その第１の２次元バーコードの近傍に印刷したネコのキャラクタに関係するマルチメディアファイルが配信されて、携帯電話の画面にそのネコのキャラクタが動作する様子を表したマルチメディアファイルが再生され、第２の２次元バーコードを携帯電話に認識させると、その第２の２次元バーコードの近傍に印刷したネズミのキャラクタに関係するマルチメディアファイルが配信されて、携帯電話の画面にそのネズミのキャラクタが動作する様子を表したマルチメディアファイルが再生されるようにしてもよい。
【００９７】
以上、アクセス情報を２次元バーコードとしてインスタントフイルム２００のフレーム部２０２に記録する場合を例に説明したが、本発明はこれに限定されない。例えば、インスタントフイルム２００のフレーム部２０２にＩＣ（Integrated Circuit）タグを形成しておき、このフレーム部２０２のＩＣタグにデジタルデータでアクセス情報を記録するようにしてもよい。この場合、インスタントフイルム製造装置２０には、ＩＣタグにアクセス情報を書き込むための書込手段を設ける。また、携帯電話には、ＩＣタグからアクセス情報を読み込むための読込手段が設けられる。
【００９８】
また、ユーザ端末機は、携帯電話に限るものではなく、例えばＰＤＡ（Personal Digital Assistants）であってもよい。
【００９９】
その他、本発明は、図で示した例や実施形態として説明した例に限定されるものではなく、本発明の要旨に従って適宜設計変更や改良を施して実施してよいことはもちろんである。
【図面の簡単な説明】
【０１００】
【図１】本発明に係る実施形態のインスタントフイルムの外観を示す斜視図
【図２】本発明に係る実施形態のインスタントフイルムの要部を示す斜視図
【図３】本発明に係る実施形態のインスタントフイルムにおけるフレーム部の断面図
【図４】本発明に係る実施形態のサービスサーバを含むサービスシステムの概略を示す全体構成図
【図５】本発明に係る実施形態のサービスサーバの具体的な内部構成の例を示すブロック図
【図６】本発明に係る第１実施形態のサービスサーバの概念的な構成を示すブロック図
【図７】本発明に係る第１実施形態のサービスサーバによる音収集サービスの処理の流れを示す説明図
【図８】本発明に係る第２実施形態のサービスサーバの概念的な構成を示すブロック図
【図９】本発明に係る第２実施形態のサービスサーバによるコンテンツ配信サービスの処理の流れを示す説明図
【図１０】写真プリントの例を示す図
【符号の説明】
【０１０１】
１０…サービスサーバ、１１…通信部、１２…制御部、１３…コンテンツデータベース、１４…ユーザ情報データベース、１５…課金情報データベース、１０ａ…アクセス権限設定手段、１０ｂ…アクセス情報入力手段、１０ｃ…音情報入力手段、１０ｄ…コンテンツ入力手段、１０ｅ…登録手段、１０ｆ…音情報出力手段、１０ｇ…配信手段、１０ｈ…データベース、２０…インスタントフイルム製造装置、３０…インスタントカメラ、４０、４１、４２…携帯電話（ユーザ端末機）、５０…携帯プリンタ、６０…登録端末、７０…管理装置、８０…ネットワーク、２００…インスタントフイルム、２０１…プリント部、２０２…フレーム部、２２７…２次元バーコード（アクセス情報）
【図１】
2005208324.tif 000003
【図２】
2005208324.tif 000004
【図３】
2005208324.tif 000005
【図４】
2005208324.tif 000006
【図５】
2005208324.tif 000007
【図６】
2005208324.tif 000008
【図７】
2005208324.tif 000009
【図８】
2005208324.tif 000010
【図９】
2005208324.tif 000011
【図１０】
2005208324.tif 000012